(57)【要約】【課題】手動式レンズクリーナー。【解決手段】ベアリング、叉はベアリング形状に相似し潤滑性に富んだ素材で形成し中心にスピンドルにセットする為の中心孔２を設けた凸形状のクランピングベース１に、一つ叉は複数の清掃部材６、及び外周にディスクを回転させる為の紐取付け貫通孔７に紐８を取付けたクリーニングディスク５をセットし、前記クランピングベース１の外周とクリーニングディスク５内周を連結するため、外周に上部を円形状に形成したリブ４設けた連結板３を該クランピングベース１に固定し構成している。【選択図】図１
2009043387.tif 000002
【特許請求の範囲】
【請求項１】
光ピックアップ装置の対物レンズを清掃するクリーニングディスクにおいて、該対物レンズを清掃するためのクリーニング部材を、クリーニングディスクのデータ記録エリア位置へ少なくとも１つ、又は複数設け、ディスクをプレーヤのスピンドル部に固定させる為に設けてあるディスクの中心孔からデータ記録エリアよりも内側の部分と、それ以降の外側の部分とを分離し、内側と外側がそれぞれフリーに動く機構を有した構造物でジョイントされたクリーニングディスクであって、データ記録エリアよりも内側の部分はそれ以降の外側の部分よりディスク厚みを若干厚くしてある。該クリーニングディスクの外周部へはディスクを動かす為の紐等の部材を設け、光ディスク再生装置内でクリーニングディスクを回転させることなく、この紐を手動で左右に動かすことにより、光ピックアップ装置の対物レンズをクリーニングすることを特徴とするクリーニングディスク。
【請求項２】
上記クリーニングディスクにおいて、内側と外側のジョイント部が、スムーズに動くようベアリング、又はベアリング形状に相似し潤滑性に富んだ素材で形成した機構を設けたことを特徴とした請求項１記載のクリーニングディスク。
【発明の詳細な説明】
【発明が属する技術分野】
【０００１】本発明は、手動式レンズクリーナーに関するものである。
【背景技術】
【０００２】光ピックアップレンズクリーニング用のディスクには従来から光ディスク、及光磁気ディスク等が用いられており、これらディスクのＴＯＣエリア近傍、又はプログラムエリア内周近傍に光ピックアップレンズ清掃用のクリーニング部材が少なくとも１つ設けられている。このクリーナーを再生装置で再生することにより、クリーニングディスクが回転し対物レンズとブラシが接触しクリーニングを行う。このようにディスクが回転することでクリーニングする方式では、クリーニングディスクに設けられたブラシが対物レンズ以外のプレーヤ内部のメカ等にも接触する場合が考えられる、その結果メカ部の油や汚れがブラシに付着し、その汚れ等が今度は対物レンズに付くこととなり逆効果となる場合がある。これら従来製品の問題点を解決すべく、クリーニングディスクを再生装置内で回転させずにクリーニングする手段として、クリーニングディスク外周部の一部に手動によりディスクを左右に動かす為の紐などを設けたクリーナーもある。
【発明が解決しようとする課題】
【０００３】確かにこの方式は、プレーヤ開口部より外に出ている紐を左右に動かしてクリーニンを行うので、ディスクを回転させることなくクリーニングが出来るが、ディスクをプレーヤヘ装填後ＴＯＣデータ読み込みの為に行う回転により、紐がプレーヤ内へ引き込まれるのを防ぐ為、紐を押えるが、その結果ディスクの回転を妨げるのでプレーヤが異常を感知し停止してしまい、直後にディスクをイジェクトしてしまうのでクリーニングが出来ない、それを防ぐ為にクリーニングディスクをプレーヤへ装填後、すぐにプレーヤの電源を切りディスクがイジェクトされないようにしてクリーニングを行っている。しかしカーナビや車載用オーディオ装置は、電源を切ると自動的にディスクをイジェクトする方式となっている機種が多く、使い方が難しく、又使用できる機種が大幅に限定されてしまう等の制約があった。
【０００４】叉、クリーニングディスクが再生装置内で回転をしなくても、メカ部分とは一切接触せずにクリーニング部材が対物レンズのみと接触しクリーニングができる構造としたクリーナーは既に存在するが、前述の通り使い方が難しく、又使用可能な機種が大幅に限定されるなどの制約があった。
【課題を解決する手段】
【０００５】本発明では、請求項１記載の通りクリーニングディスクの内側と外側の一部を分離し、分離した部分にベアリング、叉はベアリング形状に相似し潤滑性に富んだ素材で形成しジョイントしてあるので、内側と外側がフリーの状態なのでディスクの外周部に設けた紐を押えても、スピンドルに固定された内側は自由に回転するので、プレーヤの電源を切ることなく、少なくともデータ読み込み動作をしている間は回転が持続し、ディスクがイジェクトされないので、その間に紐を左右に動かしクリーニングすることが出来るので、今まで以上に多くの機種に対応することが可能である。
【発明の実施と形態】
【０００６】本発明の構成を図１〜図４によって説明する
ベアリング形状に相似し潤滑性に富んだ素材で形成し中心にスピンドルにセットする為の中心孔２を設けた凸形状のクランピングベース１に、一つ叉は複数の清掃部材６、及び外周にディスクを回転させる為の紐取付け貫通孔７に紐８を取付けたクリーニングディスク５をセットし、前記クランピングベース１外周とクリーニングディスク５内周を連結するため、外周に上部を円形状に形成したリブ４を設けた連結板３を、該クランピングベース１に固定し構成している。
【実施例】
【０００７】本発明の実施例を図１〜図８によって説明する。
前記の通り構成されたクリーニングディスク５を、プレーヤ９のディスク挿入孔１０にクリーニングディスク５外周に取付けた紐８を手前にして挿入すると、クリーニングディスク５に内接するクランピングベース１が自動的にスピンドル１１にセットされ、同時にクランプアーム１２が動作しクランプ盤１３が、前記クランピングベース１に固定された連結板３に密着しクランピングベース１が回転しプレーヤ９は動作状態となる。少なくともデータ読み込み動作をしている間は回転が持続するのでその間に、前記したクリーニングディスク５の外周に取付けた紐８を左右に動かしピックアップの対物レンズをクリーニングする。又、前記クランプ盤１３の外周が大きくてもクランピングベースに固定された連結板３のリブ４によりクリーニングディスク５とクランプ盤１３は隙間１４がある為、該クリーニングディスク５の動作及びプレーヤ９の動作にも影響を与えない。
【発明の効果】
【０００８】車載用のカーナビ、ＣＤプレーヤのピックアップ対物レンズのクリーニングが容易に出来る。
【図面の簡単な説明】
【０００９】
【図１】本発明の手動式レンズクリーナーを示す平面図。
【図２】本発明の手動式レンズクリーナーを示す縦断面図。
【図３】本発明の手動式レンズクリーナーのａ部を示す詳細図。
【図４】本発明の手動式レンズクリーナーのｂ部を示す詳細図。
【図５】本発明の手動式レンズクリーナーの挿入方法を示す斜視図。
【図６】本発明の手動式レンズクリーナーのクリーニング方法を示す斜視図。
【図７】本発明の手動式レンズクリーナーのクリーニングディスク動作時のクランプ状態を示す縦断面図。
【図８】本発明の手動式レンズクリーナーのクリーニングディスク動作時のクランプ盤とクリーニングディスクの隙間を示す縦断面図。
【符号の説明】
【００１０】１：クランピングベース
２：中心孔
３：連結板
４：リブ
５：クリーニングディスク
６：清掃部材
７：紐取付け貫通孔
８：紐
９：プレーヤ
１０：ディスク挿入孔
１１：スピンドル
１２：アーム
１３：クランプ盤
１４：隙間
【図１】
2009043387.tif 000003
【図２】
2009043387.tif 000004
【図３】
2009043387.tif 000005
【図４】
2009043387.tif 000006
【図５】
2009043387.tif 000007
【図６】
2009043387.tif 000008
【図７】
2009043387.tif 000009
【図８】
2009043387.tif 000010